(57)【要約】【課題】複数のＬＥＤ照明装置が取得した外部データを、設備コストを抑えつつ、監視に必要な情報として利用することができるＬＥＤ照明システムを提供すること。【解決手段】照明部２０、および、外部データをリアルタイムで取得する外部データ取得部３１と、外部データを記憶する記憶部３２と、記憶された外部データから所定の日付の所定の時間範囲を指定する旨のデータ抽出指定情報に基づいた外部データを抽出するデータ抽出部３２ａと、無線通信部３３とを備えた機能部３０、を有する複数のＬＥＤ照明装置１０と、複数のＬＥＤ照明装置１０に接続され、データ抽出指定情報を生成するデータ抽出指定情報生成部４１ａと、抽出データを表示部５２に表示させるための出力情報を生成する出力情報生成部４１ｂと、を有するクラウドサーバー４０と、クラウドサーバー４０に接続され、抽出指定日時情報を入力する入力部５１と表示部５２とを有する情報端末５０と、を有する。【選択図】図２
2020182047.tif 000002
【特許請求の範囲】
【請求項１】
ＬＥＤが組み込まれた照明部、および、前記照明部の周りの外部データをリアルタイムで取得する外部データ取得部と、該外部データ取得部によってリアルタイムで取得された前記外部データを記憶する記憶部と、前記記憶部に記憶された前記外部データのなかから所定の日付の所定の時間範囲を指定する旨のデータ抽出指定情報に基づいた所定の日付の所定の時間範囲の該外部データを抽出するデータ抽出部と、前記データ抽出指定情報を受信可能、かつ、前記データ抽出部によって抽出された抽出データを外部に送信可能な無線通信部とを備えた機能部、を有する複数のＬＥＤ照明装置と、
前記複数のＬＥＤ照明装置に無線基地局を介して接続され、前記データ抽出指定情報を生成するデータ抽出指定情報生成部と、前記ＬＥＤ照明装置から送信された前記抽出データを所定の日付の所定の時間範囲の前記外部データの情報として表示部に表示させるための出力情報を生成する出力情報生成部と、を有するクラウドサーバーと、
前記クラウドサーバーと通信可能に接続され、前記データ抽出指定情報生成部による前記データ抽出指定情報の生成に必要な所定の日付の所定の時間範囲を含む抽出指定日時情報を入力する入力部と、前記クラウドサーバーから送信された前記出力情報を出力表示する前記表示部と、を有する情報端末と、
を有することを特徴とすることを特徴とするＬＥＤ照明システム。
【請求項２】
前記複数のＬＥＤ照明装置は、
前記記憶部に各装置を識別する装置識別情報が記憶されており、
前記データ抽出指定情報は、
前記装置識別情報を含み、
前記データ抽出部は、
記装置識別情報に対応した前記ＬＥＤ照明装置ごとの前記外部データを抽出し、
前記出力情報生成部は、
前記装置識別情報を関連付けた前記出力情報を生成する
ことを特徴とする請求項１に記載のＬＥＤ照明システム。
【請求項３】
前記複数のＬＥＤ照明装置は、
直管状蛍光灯の両ソケットに取り付け可能、かつ、前記照明部が直管型である
ことを特徴とする請求項１または２に記載のＬＥＤ照明システム。
【請求項４】
前記機能部は、
取得する前記外部データの種類に応じて別個に設けられ、かつ、前記照明部に着脱自在に設けられる
ことを特徴とする請求項１、２または３に記載のＬＥＤ照明システム。
【請求項５】
前記複数のＬＥＤ照明装置は、
移動体の内部に設置され、前記無線通信部が前記移動体の内部であっても安定した通信ができる移動通信システムに対応している
ことを特徴とする請求項１、２、３または４に記載のＬＥＤ照明システム。
【発明の詳細な説明】
【技術分野】
【０００１】
本発明は、通信ネットワークに接続されたＬＥＤ照明装置を有するＬＥＤ照明システムに関する。
【背景技術】
【０００２】
従来、省電力化の流れから、蛍光灯に代わって、蛍光灯の既存の電源部分を利用しつつ、光源をＬＥＤ（Ｌｉｇｈｔ  Ｅｍｉｔｔｉｎｇ  Ｄｉｏｄｅ）に変更したＬＥＤ照明装置に置き換えられるようになってきている。
このようなＬＥＤ照明装置は、電源を交流電源から直流電源に変換するとともに電気配線を変更することによってＬＥＤへの電源供給を可能にしている。
このＬＥＤ照明装置は、直流電源から給電可能となったことにより、センサ、カメラ等、照明周りの外部データを取得する機能部を容易に組み込むことができるようになった。
【０００３】
例えば、特許文献１には、照明器具に一体的に取り付けられた監視カメラの撮影した画像（外部データ）を外部の携帯電話にインターネットを介して送信する遠隔監視システムが記載されている。
この特許文献１に記載の遠隔監視システムは、センサからの異常検出の入力があったとき、監視カメラを作動させ、カメラが撮像した画像を登録されたメールアドレスに送信することによって異常を報知するようにしている。
なお、特許文献１に記載の遠隔監視システムは、カメラによって時系列に複数の画像を撮像してカメラを含む画像伝送端末（機能部に相当）に組み込まれたメモリに格納し、それらの画像から異常を検出することも記載されている。
【０００４】
【特許文献１】特開２００４−９６４４３号公報
【発明の概要】
【発明が解決しようとする課題】
【０００５】
しかしながら、特許文献１に記載された発明は、カメラを含む画像伝送端末のそれぞれに解析処理機能を設ける必要があり、各所に設置された多数のカメラを用いてそのカメラ周辺の外部情報を解析ためには設備コストが大きくなってしまう問題があった。
一方、リアルタイムでカメラが撮像した動画データを監視側に送ることによって、解析処理機能を設けず、監視側の監視人によってカメラから送られたリアルタイムの動画データを監視することも可能である。
しかしながら、複数のカメラがリアルタイムで取得した膨大な動画データを無線通信を介して監視側に送る場合、膨大な送信データを処理するシステムを構築するため、結果的に、設備コストが大きくなってしまう。
【０００６】
本発明は、上記に鑑みてなされたものであって、複数のＬＥＤ照明装置が取得した外部データを、設備コストを抑えつつ、監視に必要な情報として利用することができるＬＥＤ照明システムを提供することを目的とする。
【課題を解決するための手段】
【０００７】
上述した課題を解決し、目的を達成するために、本発明に係るＬＥＤ照明システムは、ＬＥＤが組み込まれた照明部、および、前記照明部の周りの外部データをリアルタイムで取得する外部データ取得部と、該外部データ取得部によってリアルタイムで取得された前記外部データを記憶する記憶部と、前記記憶部に記憶された前記外部データのなかから所定の日付の所定の時間範囲を指定する旨のデータ抽出指定情報に基づいた所定の日付の所定の時間範囲の該外部データを抽出するデータ抽出部と、前記データ抽出指定情報を受信可能、かつ、前記データ抽出部によって抽出された抽出データを外部に送信可能な無線通信部とを備えた機能部、を有する複数のＬＥＤ照明装置と、前記複数のＬＥＤ照明装置に無線基地局を介して接続され、前記データ抽出指定情報を生成するデータ抽出指定情報生成部と、前記ＬＥＤ照明装置から送信された前記抽出データを所定の日付の所定の時間範囲の前記外部データの情報として表示部に表示させるための出力情報を生成する出力情報生成部と、を有するクラウドサーバーと、前記クラウドサーバーと通信可能に接続され、前記データ抽出指定情報生成部による前記データ抽出指定情報の生成に必要な所定の日付の所定の時間範囲を含む抽出指定日時情報を入力する入力部と、前記クラウドサーバーから送信された前記出力情報を出力表示する前記表示部と、を有する情報端末と、を有することを特徴とすることを特徴とする。
【０００８】
また、本発明に係るＬＥＤ照明システムは、上記の発明において、前記複数のＬＥＤ照明装置が、前記記憶部に各装置を識別する装置識別情報が記憶されており、前記データ抽出指定情報は、前記装置識別情報を含み、前記データ抽出部が、記装置識別情報に対応した前記ＬＥＤ照明装置ごとの前記外部データを抽出し、前記出力情報生成部は、前記装置識別情報を関連付けた前記出力情報を生成することを特徴とする。
【０００９】
また、本発明に係るＬＥＤ照明システムは、上記の発明において、前記複数のＬＥＤ照明装置が、直管状蛍光灯の両ソケットに取り付け可能、かつ、前記照明部が直管型であることを特徴とする。
【００１０】
また、本発明に係るＬＥＤ照明システムは、上記の発明において、前記機能部が、取得する前記外部データの種類に応じて別個に設けられ、かつ、前記照明部に着脱自在に設けられることを特徴とする。
【００１１】
また、本発明に係るＬＥＤ照明システムは、上記の発明において、前記複数のＬＥＤ照明装置が、移動体の内部に設置され、前記無線通信部が前記移動体の内部であっても安定した通信ができる移動通信システムに対応していることを特徴とする。
【発明の効果】
【００１２】
本発明に係るＬＥＤ照明システムは、前記ＬＥＤ照明装置の前記外部データ取得部によってリアルタイムで取得され、前記記憶部に記憶された前記外部データのなかから、前記クラウドサーバーの前記データ抽出指定情報生成部によって生成された前記データ抽出指定情報に基づいて、前記情報端末の前記入力部によって指定した所定の日付の所定の時間範囲で前記外部データを抽出し、前記クラウドサーバーの前記出力情報生成部によって、前記情報端末の前記表示部に所定の日付の所定の時間範囲の前記外部データの情報としての出力情報を出力表示させることができるので、複数のＬＥＤ照明装置が取得した外部データを、設備コストを抑えつつ、監視に必要な情報として利用することができる。
【図面の簡単な説明】
【００１３】
【図１】図１は、本発明の実施例に係るＬＥＤ照明システムの概略図である。
【図２】図２は、ＬＥＤ照明システムの全体構成を示すブロック図である。
【図３】図３は、（ａ）がＬＥＤ照明装置の斜視図であり、（ｂ）が照明部から機能部を離脱した状態を示した斜視図である。
【図４】図４は、情報端末、および、情報端末の表示部に表示されたアプリケーション画面の一例を示した図である。
【図５】図５は、本発明の実施例に係るＬＥＤ照明システムの情報処理の流れを示したフローチャートである。
【発明を実施するための形態】
【００１４】
以下、図面を参照して、本発明に係るＬＥＤ照明システムの好適な実施例を詳細に説明する。
【実施例】
【００１５】
図１は、本発明の実施例に係るＬＥＤ照明システム１の概略図である。図２は、ＬＥＤ照明システム１の全体構成を示すブロック図である。図３は、（ａ）がＬＥＤ照明装置１０の斜視図であり、（ｂ）が照明部２０から機能部３０を離脱した状態を示した斜視図である。図４は、情報端末５０、および、情報端末５０の表示部５２に表示されたアプリケーション画面５２ａの一例を示した図である。
本発明の実施例に係るＬＥＤ照明システム１は、照明機能に外部データＤの取得機能を加えた複数のＬＥＤ照明装置１０と、複数のＬＥＤ照明装置１０と無線基地局Ｓを介して接続されたクラウドサーバー４０と、クラウドサーバー４０と通信可能に接続された情報端末５０と、を有する。
なお、この実施例では、複数のＬＥＤ照明装置１０は移動体である鉄道車両ＲＶの天井に設けられ、移動体の内部であっても安定した通信ができる第４世代移動通信システム、例えば、ＬＴＥ（登録商標）による無線通信システムによって無線基地局ＲＳに接続されている。
【００１６】
まず、ＬＥＤ照明装置１０について説明する。
ＬＥＤ照明装置１０は、この実施例では、図１に示すように、鉄道車両ＲＶ内の照明として設けられ、鉄道車両ＲＶ内の天井に複数並んで配置されている。
【００１７】
なお、ＬＥＤ照明システム１は、複数のＬＥＤ照明装置１０を有するが、代表して一つのＬＥＤ照明装置１０について説明する。
ＬＥＤ照明装置１０は、図３に示すように、一端側に第一口金部２２が設けられた照明部２０と、外部データＤをリアルタイムで取得す機能部３０と、第二口金部２３と、を有する。
【００１８】
照明部２０は、直管型になっている。このためＬＥＤ照明装置１０は、両端に設けられた第一口金部２２および第二口金部２３を介して直管状蛍光灯の両ソケット（不図示）に取り付け可能になっている。
【００１９】
この照明部２０は、ＬＥＤが内部に配置され、ＬＥＤの光を外部に出射する光透過性の部分を含む直管状カバー部２１と、直管状蛍光灯の一方のソケットから電源供給可能に接続されるように直管状カバー部２１の一端部に固定された第一口金部２２と、を有する。
【００２０】
直管状カバー部２１は、直管状のガラス部材の外周面をＰＥＴ（ｐｏｌｙｅｔｈｙｌｅｎｅ  ｔｅｒｅｐｈｔｈａｌａｔｅ）等の飛散防止フィルムで覆った光透過性の直管状部分である。
なお、直管状カバー部２１は、ガラス部材に限らず、ＬＥＤの光を外部に出射する光透過性の部分を含む部材であれば、ポリカーボネート等のその他の材質からなるものであっても構わない。
【００２１】
この直管状カバー部２１は、内部に不図示の複数のＬＥＤが実装された不図示のＬＥＤ実装部と、直管状蛍光灯の一方のソケットから供給された交流電圧（例えば、ＡＣ１００Ｖ〜２００Ｖ）を、所定の直流電圧に変換する回路がボックス内に形成された不図示の電源制御回路部が収容されている。
【００２２】
電源制御回路部は、第一口金部２２およびＬＥＤ実装部に電気的に接続され、さらに、不図示のコネクタを介して機能部３０に電気的に接続可能になっている。
この電源制御回路部は、第一口金部から供給された電源を、複数のＬＥＤへの所定の直流電圧、および、機能部３０への所定の直流電圧（例えば、ＤＣ５Ｖ）に変換して供給するものである。
電源制御回路部は、例えば、機能部３０のコネクタに接続されるコネクタが電線を介して直管状カバー部２１の外に引き出し可能になっている。
【００２３】
第一口金部２２は、直管状蛍光灯の一方のソケットに接続されるようになっている。この第一口金部２２は、図３に示すように、直管状カバー部２１の一端部に固定される部分となる筒状部２２ａと、電気接続部分となるピン２２ｂと、を有し、ピン２２ｂが直管状蛍光灯のソケットに装着可能な形状になっている。
【００２４】
機能部３０は、照明部２０を介して供給される電源の接続部分となる不図示のコネクタを有し、照明部２０を介して電源が供給されるようになっている。
この機能部３０は、図２に示すように、外部データ取得部３１と、記憶部３２と、無線通信部３３と、制御部３４と、を有し、これらが筐体３５内に組み込まれている。
【００２５】
筐体３５は、図３（ｂ）に示すように、内部に筐体３５を回転可動可能に支持する回転支持部３６が組み込まれており、直管状カバー部２１の端部が回転支持部３６の端部に固定され、第二口金部２３の後述する筒状部２３ａが回転支持部３６の他端部に固定されるようになっている。
この筐体３５は、外部データ取得部３１、記憶部３２、無線通信部３３、および、制御部３４を構成する部品が収容される収容空間が形成されており、内部にこれらの部品を収容した状態で、回転支持部３６を介して直管状カバー部２１および第二口金部２３の間に取付けられる。
【００２６】
外部データ取得部３１は、照明部２０の周りの外部データＤをリアルタイムで取得するものである。
この実施例では、外部データ取得部３１は、カメラのレンズおよびＣＭＯＳイメージセンサ等を備えた撮像部であり、動画データを外部データＤとして取得するものである。
なお、外部データ取得部３１は、撮像部に限定されず、照明部２０の周りの外部データＤを取得できるものであればその他のものであっても構わない。例えば、外部データ取得部３１は、物体から放射される赤外線を分析し、熱分布を画像データで取得することができる、いわゆる、サーモカメラであってもよい。
【００２７】
記憶部３２は、ＬＥＤ照明装置１０の装置識別情報３２ａ、あるいは、外部データ取得部３１によって取得された外部データＤ等、ＬＥＤ照明装置１０の制御に関する各種データあるいは情報を保存するものである。
なお、装置識別情報３２ａは、複数のＬＥＤ照明装置１０を識別することができる情報であればよい。
【００２８】
この実施例では、記憶部３２は、一部を不図示のメモリカードおよびＳＩＭ（Ｓｕｂｓｃｒｉｂｅｒ  Ｉｄｅｎｔｉｔｙ  Ｍｏｄｕｌｅ）カード、およびカードスロットによって実現している。メモリカードは、外部データ取得部３１によって取得された動画データが記憶され、容量に応じて古いデータが新しいデータに上書きされるようになっている。
ＳＩＭカードは、装置識別情報が記憶されている。
【００２９】
無線通信部３３は、例えば、ＬＴＥ（登録商標）を通信方式としたものを用いている。
なお、この実施例のＬＥＤ照明装置１０は、移動体である鉄道車両ＲＶ内に設置されることを考慮して、無線通信部３３が、ＬＴＥを通信方式とするものを例示したが、ＬＥＤ照明装置１０が建屋などに設置される場合、これに限らず、無線通信を可能にするものであればその他の通信方式を用いても構わない。例えば、ＷｉＦｉ（登録商標）を通信方式とした通信モジュールを用いてもよい。あるいは、ＬＴＥおよびＷｉＦｉの両通信の機能制限および切替機能を備えて、ＬＴＥおよびＷｉＦｉの両通信の通信方式を切り替え可能な通信モジュールを用いても構わない。
【００３０】
制御部３４は、外部データ取得部３１および無線通信部３３を含む機能部３０の全体的な制御を行うものである。
この制御部３４は、記憶部３２に記憶された外部データＤから所定の日付の所定の時間範囲を指定する旨のデータ抽出指定情報Ｄ２に基づいた所定の日付の所定の時間範囲の外部データＤを抽出するデータ抽出部３４ａを有する。
データ抽出部３４ａは、外部データ取得部３１によってリアルタイムで撮像された照明部２０の周辺の動画データ（外部データＤ）らデータ抽出指定情報Ｄ２に基づいた所定の日付の所定の時間範囲の動画データ（外部データＤ）を抽出する。
【００３１】
なお、データ抽出部３４ａは、抽出データＤ３と装置識別情報３２ａとを関連付けたデータを抽出データＤ３としてクラウドサーバー４０に送信する。
【００３２】
第二口金部２３は、直管状蛍光灯の他方のソケットに接続されるようになっている。この第二口金部２３は、図３に示すように、機能部３０の筐体３５を回転可能に支持する回転支持部３６の一端部に固定される部分となる筒状部２３ａと、ピン２３ｂと、を有し、ピン２３ｂが直管状蛍光灯の他方のソケットに装着可能な形状になっている。
【００３３】
このようなＬＥＤ照明装置１０は、一端側の第一口金部２２から間に着脱可能、かつ、回転支持部３６を支軸として回転可能な機能部３０を通して他端側の第二口金部２３まで連結され、両端の第一口金部２２および第二口金部２３を介して直管状の蛍光灯の両ソケットに取り付けできるようになっている。
【００３４】
また、ＬＥＤ照明装置１０は、機能部３０が照明部２０に着脱自在に設けられているので、機能部３０を取得する外部データＤの種類に応じを別個に設け、用途に応じて種類の異なる機能部３０を付け替えるようにしてもよい。
例えば、外部データ取得部３１として撮像部を筐体３５内に組み込んだ機能部３０と、外部データ取得部３１としてサーモカメラを筐体３５内に組み込んだ機能部３０とを用途に応じて付け替えることができる。
【００３５】
次に、クラウドサーバー４０について説明する。
クラウドサーバー４０は、複数のＬＥＤ照明装置１０に無線基地局ＲＳを介して接続され、図２に示すように、クラウドサーバー４０の各種の処理を制御する制御部４１を有する。
【００３６】
制御部４１は、データ抽出指定情報Ｄ２を生成するデータ抽出指定情報生成部４１ａと、ＬＥＤ照明装置１０から送信された抽出データＤ３を所定の日付の所定の時間範囲の外部データＤの情報として表示部５２に表示させるための出力情報Ｄ４を生成する出力情報生成部４１ｂと、を有する。
【００３７】
データ抽出指定情報生成部４１ａは、情報端末５０から送信された所定の日付の所定の時間範囲を含む抽出指定日時情報Ｄ１に基づいて、データ抽出部３４ａが所定の日付の所定の時間範囲を含む外部データＤとしての動画データ（外部データＤ）を抽出するためのデータ抽出指定情報Ｄ２を生成する。
【００３８】
出力情報生成部４１ｂは、抽出データＤ３に所定の日付の所定の時間範囲の外部データＤを抽出したものであることがわかる情報を付して表示部５２に表示させるための出力情報Ｄ４を生成する。
この出力情報Ｄ４は、例えば、抽出された動画データ（外部データＤ）を、装置識別情報３２ａに関連付けた動画データの取得位置、さらには、動画データ（外部データＤ）の取得時間がわかり易いように表示部５２に表示させる情報である。
【００３９】
次に、情報端末５０について説明する。
情報端末５０は、パーソナルコンピューター、あるいは、スマートフォン等によって実現される。
この情報端末５０は、図２に示すように、入力部５１と、表示部５２と、さらには、外部との通信接続を可能にする通信部５３と、を有する。以下、情報端末５０は、パーソナルコンピューターであるものとして説明する。
情報端末５０は、インターネットＮを介してクラウドサーバー４０と通信可能に接続される。
【００４０】
入力部５１は、データ抽出指定情報生成部４１ａによるデータ抽出指定情報Ｄ２の生成に必要な所定の日付の所定の時間範囲を含む抽出指定日時情報Ｄ１を入力するものである。
この実施例では、入力部５１は、図４に示すように、キーボード５１ａおよびマウス５１ｂが用いられ、表示部５２は、例えば、液晶ディスプレイが用いられる。
【００４１】
表示部５２は、クラウドサーバー４０から送信された出力情報Ｄ４を出力表示するものである。
【００４２】
なお、情報端末５０がスマートフォンである場合、入力部５１は、表示部５２ともなるタッチパネルに相当する。
【００４３】
情報端末５０は、操作者によって、クラウドサーバー４０にあるＬＥＤ照明システム１の管理用アプリケーションへの接続操作がなされると、表示部５２にアプリケーション画面５２ａを表示する
なお、この管理用アプリケーションに接続するためには、特定の管理者のみに割り当てられたパスワードの入力を必須とする。
【００４４】
アプリケーション画面５２ａには、所定の日付、および、所定の時間範囲を入力するための複数の入力欄５２ｂが設けられている。
なお、この実施例では、アプリケーション画面５２ａには、複数のＬＥＤ照明装置１０の各装置を識別する装置識別情報３２ａの入力欄５２ｂも設けられている。
【００４５】
操作者は、ＬＥＤ照明装置１０がリアルタイムで取得した外部データＤとしての動画データから視聴したい日付および時間範囲、さらには、装置識別情報３２ａを入力部５１によってアプリケーション画面５２ａの各入力欄５２ｂに入力する。
【００４６】
より具体的には、図４に示すように、２０××年４月１日の午前８時頃、鉄道車両ＲＶの５両目で痴漢が発生したとの報告があった場合、操作者は、入力部５１としてのキーボード５１ａ、および、マウス５１ｂを用いて、日付の入力欄５２ｂに、２０××年４月１日を入力し、時間範囲の入力欄５２ｂに、例えば、午前７時５０分から午前８時１０分の時間範囲を入力する。
また、操作者は、装置識別情報３２ａの入力欄５２ｂには、例えば、５両目に設置されている複数のＬＥＤ照明装置１０の各装置識別情報３２ａを入力する。
【００４７】
入力欄５２ｂへの入力が完了された後、操作者が、アプリケーション画面５２ａに設けられた送信ボタン５２ｃをマウス５１ｂによってクリックすることによって、抽出指定日時情報Ｄ１がクラウドサーバー４０に送信される。
【００４８】
なお、アプリケーション画面５２ａには、ログアウトボタン５２ｄが設けされており、操作者によるログアウト操作が行われることによって、情報端末５０を用いた管理アプリケーションへの接続が終了される。
【００４９】
次に、図５を用いて、本発明の実施例に係るＬＥＤ照明システム１の情報処理の流れについてフローチャートを用いて説明する。
図５は、本発明の実施例に係るＬＥＤ照明システム１の情報処理の流れを示したフローチャートである。
まず、ＬＥＤ照明装置１０が実行する情報処理の流れについて説明する。
なお、ＬＥＤ照明システム１は、複数のＬＥＤ照明装置１０を有するが、代表して一つのＬＥＤ照明装置１０について説明する。
ＬＥＤ照明装置１０は、クラウドサーバー４０からデータ抽出指定情報Ｄ２を受信したか否かを判断する（ステップＳ１０１）。
ステップＳ１０１において、ＬＥＤ照明装置１０は、クラウドサーバー４０からデータ抽出指定情報Ｄ２を受信したと判断した場合（ステップＳ１０１：Ｙｅｓ）、データ抽出指定情報Ｄ２に基づいた外部データＤを抽出する（ステップＳ１０２）
この処理では、ＬＥＤ照明装置１０は、データ抽出指定情報Ｄ２に含まれる装置識別情報３２ａと記憶部３２に記憶された装置識別情報３２ａとが合致した場合に、データ抽出部３４ａが外部データＤの抽出処理を実行する。
データ抽出部３４ａは、記憶部３２に記憶されたリアルタイムで取得された動画データ（外部データ）を参照し、データ抽出指定情報Ｄ２に基づいた所定の日付の所定の時間範囲の動画データ（外部データＤ）を抽出する。
一方、ＬＥＤ照明装置１０は、ステップＳ１０１において、クラウドサーバー４０からデータ抽出指定情報Ｄ２を受信していないと判断した場合、ステップＳ１０１の判断処理を繰り返す。
【００５０】
ＬＥＤ照明装置１０は、ステップＳ１０２において外部データＤを抽出すると、抽出データＤ３をクラウドサーバー４０に送信し（ステップＳ１０３）、処理をステップＳ１０１に戻し上述した処理を繰り返す。
なお、データ抽出部３４ａは、抽出データＤ３に装置識別情報を関連付けたデータを抽出データＤ３としてクラウドサーバー４０に送信する。
【００５１】
次に、情報端末５０が実行する情報処理の流れについて説明する。
情報端末５０は、操作者によって、表示部５２にアプリケーション画面５２ａを表示させる操作があった場合、クラウドサーバー４０を介して表示部５２にアプリケーション画面５２ａを表示する（Ｓステップ３０１）。
この処理で表示部５２に表示されたアプリケーション画面５２ａには、視聴したい動画データ（外部データＤ）の、所定の日付、および、所定の時間範囲を入力するための複数の入力欄５２ｂ、さらには、ＬＥＤ照明装置１０を指定するための装置識別情報３２ａの入力欄５２ｂも設けられている。
また、アプリケーション画面５２ａは、管理アプリケーションからのログアウトを可能とするログアウトボタン５２ｄ等の管理アプリケーションの各種操作に関わる入力欄５２ｂ、操作ボタン５２ｃ、５２ｄ等がレイアウト配置されている。
操作者は、アプリケーション画面５２ａの各入力欄５２ｂに、視聴したい動画データ（外部データ）の、所定の日付、および、所定の時間範囲、さらには、装置識別情報３２ａを入力する。
操作者は、各入力欄５２ｂへの入力が完了すると、アプリケーション画面５２ａ上にある送信ボタン５２ｃを、マウス５１ｂによるクリック操作することによって、抽出指定日時情報Ｄ１を情報端末５０からクラウドサーバー４０に送信する。
【００５２】
次に、情報端末５０は、抽出指定日時情報Ｄ１が入力完了されたか否かを判断する（ステップＳ３０２）。
ここで情報端末５０は、送信ボタン５２ｃが押されたことを示す旨の信号が発信さたか否かによって抽出指定日時情報Ｄ１が入力完了されたか否かを判断する。
【００５３】
ステップＳ３０２において、情報端末５０は、抽出指定日時情報Ｄ１が入力完了されたと判断した場合（ステップＳ３０２：Ｙｅｓ）、抽出指定日時情報Ｄ１をクラウドサーバー４０に送信する（ステップＳ３０３）。
一方、情報端末５０は、抽出指定日時情報Ｄ１が入力完了されていないと判断した場合（ステップＳ３０２：Ｎｏ）、ステップＳ３０２の判断処理を繰り返す。
【００５４】
情報端末５０は、ステップＳ３０３において抽出指定日時情報Ｄ１をクラウドサーバー４０に送信した後、クラウドサーバー４０から出力情報Ｄ４を受信したか否か判断する（ステップＳ３０４）。
【００５５】
ステップＳ３０４において、情報端末は、出力情報Ｄ４を受信したと判断した場合（ステップＳ３０４：Ｙｅｓ）、表示部に出力情報Ｄ４を表示する（ステップＳ３０５）。
表示部に表示される出力情報Ｄ４としては、例えば、抽出された動画データ（外部データ）を、装置識別情報に関連付けた動画データの取得位置、さらには、動画データ（外部データ）の取得時間がわかり易いように表示部に表示させる情報である。
【００５６】
一方、情報端末は、出力情報Ｄ４を受信していないと判断した場合（ステップＳ３０４：Ｎｏ）、ステップＳ３０４の判断処理を繰り返す。
【００５７】
情報端末５０は、ステップＳ３０５において表示部５２に出力情報Ｄ４を表示した後、管理アプリケーションからログアウトされたか否かを判断する（ステップＳ３０６）。
ここで情報端末５０は、ログアウトボタン５２ｄが押されたことを示す旨の信号が発信さたか否かによって管理アプリケーションからログアウトされたか否かを判断する。
ステップＳ３０６において、情報端末５０は、管理アプリケーションからログアウトされたと判断した場合（ステップＳ３０６：Ｙｅｓ）、管理アプリケーションを用いた処理を終了する。
一方、情報端末５０は、管理アプリケーションからログアウトされていないと判断した場合（ステップＳ３０６：Ｎｏ）、処理をステップＳ３０２に戻し、上述した処理を繰り返す。
【００５８】
次に、クラウドサーバー４０が実行する情報処理の流れについて説明する。
クラウドサーバー４０は、情報端末５０によって管理アプリケーションへの接続要求があるか否かを判断する（ステップＳ２０１）。
情報端末５０によって管理アプリケーションへの接続要求がある場合（ステップＳ２０１：Ｙｅｓ）、ログインパスワードが入力されたか否かを判断する（ステップＳ２０２）。
ここで、クラウドサーバー４０は、管理アプリケーションへのアクセスを許可するために登録パスワードと、情報端末５０によって入力された入力パスワードとを比較し、登録パスワードと入力パスワードが合致した場合（ステップＳ２０２：Ｙｅｓ）、ログインパスワードが入力されたと判断し、管理アプリケーションを起動する（ステップＳ２０３）。
一方、クラウドサーバー４０は、情報端末５０によって管理アプリケーションへの接続要求がない場合（ステップＳ２０１：Ｎｏ）、ステップＳ２０１の判断処理を繰り返す。
【００５９】
ステップＳ２０３において、クラウドサーバー４０によって管理アプリケーションが起動されると、情報端末５０の表示部５２にアプリケーション画面５２ａが表示される。
【００６０】
一方、情報端末５０は、ログインパスワードが入力されていないと判断した場合（ステップＳ２０２：Ｎｏ）、ステップＳ２０２の判断処理を繰り返す。
【００６１】
クラウドサーバー４０は、管理アプリケーションを起動した後、情報端末５０から抽出指定日時情報Ｄ１を取得し（ステップＳ２０４）、データ抽出指定情報Ｄ２を生成する（ステップＳ２０５）。
ステップＳ２０５において、クラウドサーバー４０は、抽出指定日時情報Ｄ１に複数の装置識別情報３２ａが含まれる場合、各装置識別情報３２ａと、所定の日付、および、所定の時間範囲を関連付けたデータ抽出指定情報Ｄ２を生成する。
【００６２】
ステップＳ２０５においてデータ抽出指定情報Ｄ２を生成した後、クラウドサーバー４０は、データ抽出指定情報Ｄ２をＬＥＤ照明装置１０に送信し（ステップＳ２０６）、ＬＥＤ照明装置１０から抽出データＤ３を受信したが否かを判断する（ステップＳ２０７）。
【００６３】
クラウドサーバーは、ステップＳ２０５において抽出データＤ３を受信したと判断した場合（ステップＳ２０７：Ｙｅｓ）、出力情報Ｄ４を生成する（ステップＳ２０８）。
出力情報Ｄ４は、例えば、抽出された動画データ（外部データＤ）を、装置識別情報３２ａに関連付けて得られた動画データの取得位置、さらには、動画データ（外部データＤ）の取得時間がわかり易いように表示部５２に表示させる情報である。
【００６４】
クラウドサーバーは、出力情報Ｄ４を生成した後、出力情報Ｄ４を情報端末５０に送信し（ステップＳ２０９）、管理アプリケーションがログアウトされたか否かを判断する（ステップＳ２１０）。
この判断処理は、情報端末５０によって操作者がログアウト操作を行ったか否かによって判断される。
ステップＳ２１０において、クラウドサーバー４０は、管理アプリケーションがログアウトされたと判断した場合（ステップＳ２１０：Ｙｅｓ）、処理をステップＳ２０１に戻して上述の処理を繰り返す。
一方、ステップＳ２１０において、クラウドサーバー４０は、管理アプリケーションがログアウトされていないと判断した場合（ステップＳ２１０：Ｎо）、処理をステップＳ２０４に戻して上述の処理を繰り返す。
【００６５】
本発明の実施例に係るＬＥＤ照明システム１は、ＬＥＤ照明装置１０の外部データ取得部３１によってリアルタイムで取得され、記憶部３２に記憶された外部データＤのなかから、クラウドサーバー４０のデータ抽出指定情報生成部４１ａによって生成されたデータ抽出指定情報Ｄ２に基づいて、情報端末５０の入力部５１によって指定した所定の日付の所定の時間範囲で外部データＤを抽出し、クラウドサーバー４０の出力情報生成部４１ｂによって、情報端末５０の表示部５２に所定の日付の所定の時間範囲の外部データＤの情報としての出力情報Ｄ４を出力表示させることができるので、複数のＬＥＤ照明装置１０が取得した外部データＤを、設備コストを抑えつつ、監視に必要な情報として利用することができる。
【００６６】
また、本発明の実施例に係るＬＥＤ照明システム１は、複数のＬＥＤ照明装置１０が、記憶部３２に各装置を識別する装置識別情報３２ａが記憶されており、データ抽出指定情報Ｄ２が、装置識別情報３２ａを含み、データ抽出部３４ａが、装置識別情報３２ａに対応したＬＥＤ照明装置１０ごとの外部データＤを抽出し、出力情報生成部４１ｂが、装置識別情報３２ａを関連付けた出力情報Ｄ４を生成するので、複数のＬＥＤ照明装置１０のそれぞれが取得した外部データＤから、所望の装置の外部データＤを所定の日付の所定の時間範囲で表示部５２に出力表示させることができる。
【００６７】
また、本発明の実施例に係るＬＥＤ照明システム１は、複数のＬＥＤ照明装置１０が、直管状蛍光灯の両ソケットに取り付け可能、かつ、照明部２０が直管型であるので、鉄道車両ＲＶ等の公共の移動体、あるいは、屋内施設に複数設置された直管型の蛍光灯に代って設置され易く、結果的に、複数の照明装置が設置される場所に容易に適用することができる。
【００６８】
また、本発明の実施例に係るＬＥＤ照明システム１は、機能部３０が、取得する外部データＤの種類に応じて別個に設けられ、かつ、照明部２０に着脱自在に設けられている。
このため、本発明の実施例に係るＬＥＤ照明システム１は、機能部３０を変更することによって、取得する外部データＤを容易に変更することができ、結果的に、多種の外部データＤの監視に対応することができる。
【００６９】
また、本発明の実施例に係るＬＥＤ照明システム１は、複数のＬＥＤ照明装置１０が移動体である鉄道車両ＲＶの内部に設置され、無線通信部３３が鉄道車両ＲＶの内部であっても安定した通信ができる移動通信システムに対応しているので、移動体である鉄道車両ＲＶの内部で取得された動画データ（外部データＤ）を、監視に必要な情報として利用することができる。
【００７０】
なお、本発明の実施例に係るＬＥＤ照明システム１は、ＬＥＤ照明装置１０が移動体である鉄道車両ＲＶ内に設置されるものを例示したが、ＬＥＤ照明装置１０が鉄道車両ＲＶ以外の移動体の内部に設定されるものであってもよいし、ＬＥＤ照明装置１０が移動体の内部に限らず、建屋内に設置されるものであってもよい。
【００７１】
また、本発明の実施例に係るＬＥＤ照明システム１は、第４世代移動通信システムを利用するものを例示したが、これに限らず、第５世代移動通信システム、あるいは、その他の通信システムを用いても構わない。
【００７２】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００７３】
１      ＬＥＤ照明システム
１０      ＬＥＤ照明装置
２０      照明部
２１      直管状カバー部
２２      第一口金部
２２ａ    筒状部
２２ｂ    ピン
２３      第二口金部
２３ａ    筒状部
２３ｂ    ピン
３０      機能部
３１      外部データ取得部
３２      記憶部
３２ａ    装置識別情報
３３      無線通信部
３４      制御部
３４ａ    データ抽出部
３５      筐体
３６      回転支持部
４０      クラウドサーバー
４１      制御部
４１ａ    データ抽出指定情報生成部
４１ｂ    出力情報生成部
５０      情報端末
５１      入力部
５１ａ    キーボード
５１ｂ    マウス
５２      表示部
５２ａ    アプリケーション画面
５２ｂ    入力欄
５２ｃ    送信ボタン
５２ｄ    ログアウトボタン
５３      通信部
Ｄ        動画データ（外部データ）
Ｄ１      抽出指定日時情報
Ｄ２      データ抽出指定情報
Ｄ３      抽出データ
Ｄ４      出力情報
Ｎ        インターネット
ＲＳ      無線基地局
ＲＶ      鉄道車両（移動体）
【図１】
2020182047.tif 000003
【図２】
2020182047.tif 000004
【図３】
2020182047.tif 000005
【図４】
2020182047.tif 000006
【図５】
2020182047.tif 000007